(57)【要約】      （修正有）【課題】床面に対する衝撃を緩和すると共に、踏み込み感触を向上させるための自由度を高める電子打楽器用のペダル装置を提供する。【解決手段】フットボード２０は、基台１０に対して第１回動軸１８で回動自在にされ、アーム２１Ｌが、フットボード２０に対して第２回動軸２３で回動自在にされて、リンク機構が構成される。アーム２１Ｌの後端部２１ｂに設けられた質量部２２の変位軌道がガイド溝１４ａによって前後方向に規制される。フットボード２０の踏み込みの往行程において、質量部２２が後方にスライド移動し、ストッパ部３０に正面から当接する。【選択図】図２
2015135512.tif 000002
【特許請求の範囲】
【請求項１】
床面に載置される基台と、
前記基台に対して一端部が軸支され、踏み込み操作により回動自在なフットボードと、  前記フットボードの他端部寄りの位置に設けられた回動支点に一端部が軸支され、回動自在にされたアームと、
前記アームの他端部寄りの位置に設けられた質量部と、
前記フットボードが踏み込み開始位置から踏み込み終了位置まで変位する際の前記質量部の変位軌道を規制する規制手段と、
前記基台に設けられ、前記フットボードの踏み込みの往行程において、前記質量部と当接して前記フットボードの前記踏み込み終了位置を規制するストッパ部とを有し、
前記規制手段は、前記フットボードの踏み込みの往行程において、前記質量部が下方の成分を含まない方向に変位するように軌道を規制し、
前記フットボードの踏み込みの往行程における、前記質量部の、前記踏み込み開始位置に対応する位置と前記踏み込み終了位置に対応する位置との関係において、前記質量部の変位成分は、上方の成分よりも水平方向の成分の方が大きいことを特徴とする電子打楽器用のペダル装置。
【請求項２】
床面に載置される基台と、
前記基台に対して一端部が軸支され、踏み込み操作により回動自在なフットボードと、
前記フットボードの他端部寄りの位置に設けられた回動支点に一端部が軸支され、回動自在にされたアームと、
前記アームの他端部寄りの位置に設けられた質量部と、
前記フットボードが踏み込み開始位置から踏み込み終了位置まで変位する際の前記質量部の変位軌道を規制する規制手段と、
前記基台に設けられ、前記フットボードの踏み込みの往行程において、前記質量部と当接して前記フットボードの前記踏み込み終了位置を規制するストッパ部とを有し、
前記規制手段は、前記フットボードの踏み込みの往行程において、前記質量部が下方の成分を含まない方向に変位するように軌道を規制し、
前記質量部と当接する前記ストッパ部の面は、水平方向よりも鉛直方向に平行に近く、
前記ストッパ部には、前記質量部との当接により前記フットボードに対して復方向への反力を発生させる反力発生部が設けられ、前記反力の方向成分は、鉛直方向の成分よりも水平方向の成分の方が大きいことを特徴とする電子打楽器用のペダル装置。
【請求項３】
前記質量部の、前記踏み込み開始位置に対応する位置と前記踏み込み終了位置に対応する位置との直線距離が、前記回動支点の、前記踏み込み開始位置に対応する位置と前記踏み込み終了位置に対応する位置との直線距離よりも長いことを特徴とする請求項１または２記載の電子打楽器用のペダル装置。
【請求項４】
前記基台に対して固定的な部分と前記フットボードとの間、及び、前記基台に対して固定的な部分と前記アームとの間にそれぞれ介装された弾性材を有し、これら両弾性材の弾性によって、非操作状態における前記フットボードが前記踏み込み開始位置に位置すると共に、前記踏み込み開始位置から踏み込みの往方向またはその反対方向のいずれの方向に前記フットボードを変位させたとしても、前記両弾性材の弾性によって、前記フットボードを前記踏み込み開始位置に復帰させる付勢力が作用するように構成されたことを特徴とする請求項１〜３のいずれか１項に記載の電子打楽器用のペダル装置。
【請求項５】
前記基台に対して固定的な部分と前記アームとの間に、前記フットボードが前記踏み込み開始位置にあるときに最も短くなるように引張状態で介装された弾性材を有し、該弾性材の弾性によって、非操作状態における前記フットボードが前記踏み込み開始位置に位置すると共に、前記踏み込み開始位置から踏み込みの往方向またはその反対方向のいずれの方向に前記フットボードを変位させたとしても、前記両弾性材の弾性によって、前記フットボードを前記踏み込み開始位置に復帰させる付勢力が作用するように構成されたことを特徴とする請求項１〜３のいずれか１項に記載の電子打楽器用のペダル装置。
【請求項６】
前記ストッパ部には、前記質量部との当接により前記フットボードに対して復方向への反力を発生させる反力発生部が設けられたことを特徴とする請求項１記載の電子打楽器用のペダル装置。
【発明の詳細な説明】
【技術分野】
【０００１】
本発明は、電子打楽器用のペダル装置に関する。
【背景技術】
【０００２】
従来、電子打楽器用のペダル装置が知られている。下記特許文献１のペダル装置では、基台にフットボードが回動自在に軸支され、フットボードの自由端部にウェイトが設けられると共に、フットボードの自由端部に引っ張りコイルバネが設けられる。そして、フットボードを踏み込んだとき、ウェイトによる慣性力と引っ張りコイルバネによる負荷の増大とによってアコースティックドラムに近い踏み込み感触が実現されることを狙っている。
【先行技術文献】
【特許文献】
【０００３】
【特許文献１】特開２００８−１４５４６４号公報
【発明の概要】
【発明が解決しようとする課題】
【０００４】
しかしながら、上記特許文献１のペダル装置では、ウェイトがフットボードに設けられるので、フットボードの動作の支障にならないように設ける必要があり、大きさや形状に制約が大きい。しかも、ウェイトの変位量はフットボードに取り付けられた部分の変位量に依存する。これらにより、ウェイトによる慣性力の調節に自由度が小さく、所望の慣性力を得るように設計するのが容易でない。従って、踏み込み感触をより自然なものに近づける上で、改善の余地があった。
【０００５】
また、上記特許文献１のペダル装置では、フットボードは、踏み込まれると基台に対して当接状態となって踏み込み終了位置が規制される。その際、基台を介して床面に下方への衝撃が加わり、振動や衝撃音が発生する。特に電子ドラムにおいては、アコースティックドラムに比べてこれらの振動や衝撃音が邪魔に感じられやすい。さらに、踏み込み終了時の感触もアコースティックドラムのものとは異なっているため、改善の余地がある。
【０００６】
本発明は上記従来技術の問題を解決するためになされたものであり、その目的は、床面に対する衝撃を緩和すると共に、踏み込み感触を向上させるための自由度を高めることができる電子打楽器用のペダル装置を提供することにある。
【課題を解決するための手段】
【０００７】
上記目的を達成するために本発明の請求項１の電子打楽器用のペダル装置は、床面（２６）に載置される基台（１０）と、前記基台に対して一端部（２０ａ）が軸支され、踏み込み操作により回動自在なフットボード（２０）と、前記フットボードの他端部（２０ｂ）寄りの位置に設けられた回動支点（２３）に一端部（２１ａ）が軸支され、回動自在にされたアーム（２１）と、前記アームの他端部（２１ｂ）寄りの位置に設けられた質量部（２２）と、前記フットボードが踏み込み開始位置から踏み込み終了位置まで変位する際の前記質量部の変位軌道を規制する規制手段（１４ａ、５０ａ、５１ａ）と、前記基台に設けられ、前記フットボードの踏み込みの往行程において、前記質量部と当接して前記フットボードの前記踏み込み終了位置を規制するストッパ部（３０）とを有し、前記規制手段は、前記フットボードの踏み込みの往行程において、前記質量部が下方の成分を含まない方向に変位するように軌道を規制し、前記フットボードの踏み込みの往行程における、前記質量部の、前記踏み込み開始位置に対応する位置と前記踏み込み終了位置に対応する位置との関係において、前記質量部の変位成分は、上方の成分よりも水平方向の成分の方が大きいことを特徴とする。
【０００８】
上記目的を達成するために本発明の請求項２の電子打楽器用のペダル装置は、床面に載置される基台と、前記基台に対して一端部が軸支され、踏み込み操作により回動自在なフットボードと、前記フットボードの他端部寄りの位置に設けられた回動支点に一端部が軸支され、回動自在にされたアームと、前記アームの他端部寄りの位置に設けられた質量部と、前記フットボードが踏み込み開始位置から踏み込み終了位置まで変位する際の前記質量部の変位軌道を規制する規制手段と、前記基台に設けられ、前記フットボードの踏み込みの往行程において、前記質量部と当接して前記フットボードの前記踏み込み終了位置を規制するストッパ部とを有し、前記規制手段は、前記フットボードの踏み込みの往行程において、前記質量部が下方の成分を含まない方向に変位するように軌道を規制し、前記質量部と当接する前記ストッパ部の面は、水平方向よりも鉛直方向に平行に近く、前記ストッパ部には、前記質量部との当接により前記フットボードに対して復方向への反力を発生させる反力発生部が設けられ、前記反力の方向成分は、鉛直方向の成分よりも水平方向の成分の方が大きいことを特徴とする。
【０００９】
好ましくは、前記質量部の、前記踏み込み開始位置に対応する位置（ＰａＳ）と前記踏み込み終了位置に対応する位置（ＰａＥ）との直線距離が、前記回動支点の、前記踏み込み開始位置に対応する位置（ＰｆＳ）と前記踏み込み終了位置に対応する位置（ＰｆＥ）との直線距離よりも長い（請求項３）。
【００１０】
好ましくは、前記基台に対して固定的な部分（１１）と前記フットボードとの間、及び、前記基台に対して固定的な部分（１５）と前記アームとの間にそれぞれ介装された弾性材（１６、１７）を有し、これら両弾性材の弾性によって、非操作状態における前記フットボードが前記踏み込み開始位置に位置すると共に、前記踏み込み開始位置から踏み込みの往方向またはその反対方向のいずれの方向に前記フットボードを変位させたとしても、前記両弾性材の弾性によって、前記フットボードを前記踏み込み開始位置に復帰させる付勢力が作用するように構成される（請求項４）。
【００１１】
好ましくは、前記基台に対して固定的な部分と前記アームとの間に、前記フットボードが前記踏み込み開始位置にあるときに最も短くなるように引張状態で介装された弾性材（４７、４８）を有し、該弾性材の弾性によって、非操作状態における前記フットボードが前記踏み込み開始位置に位置すると共に、前記踏み込み開始位置から踏み込みの往方向またはその反対方向のいずれの方向に前記フットボードを変位させたとしても、前記両弾性材の弾性によって、前記フットボードを前記踏み込み開始位置に復帰させる付勢力が作用するように構成される（請求項５）。
【００１２】
好ましくは、前記ストッパ部には、前記質量部との当接により前記フットボードに対して復方向への反力を発生させる反力発生部（３３、３５、３９、４２）が設けられる（請求項６）。
【００１３】
なお、上記括弧内の符号は例示である。
【発明の効果】
【００１４】
本発明の請求項１によれば、床面に対する衝撃を緩和すると共に、踏み込み感触を向上させるための自由度を高めることができる。
【００１５】
請求項３によれば、慣性力を大きくし、踏み込み感触を向上させることができる。
【００１６】
請求項４、５によれば、アコースティックのペダル装置に似た踏み込み初期の操作感触を実現することができる。
【００１７】
請求項６によれば、良好な打撃感触を実現し連打を容易にすることができる。
【図面の簡単な説明】
【００１８】
【図１】本発明の一実施の形態に係る電子打楽器用のペダル装置の平面図、底面図である。
【図２】図１（ａ）のＡ−Ａ線に沿う断面図である。
【図３】本実施の形態及び変形例のリンク機構の系の模式図である。
【図４】本実施の形態及び変形例のストッパ部の構成を模式的に示す断面図である。
【図５】質量部の変位軌道を規制する機構の変形例を示す模式図である。
【図６】リンク機構の系を非操作状態において平衡状態に保つためのコイルバネの配設態様の変形例を示す図である。
【発明を実施するための形態】
【００１９】
以下、本発明の実施の形態を図面を参照して説明する。
【００２０】
図１（ａ）、（ｂ）は、それぞれ、本発明の一実施の形態に係る電子打楽器用のペダル装置の平面図、底面図である。図２（ａ）、（ｂ）は、図１（ａ）のＡ−Ａ線に沿う断面図である。
【００２１】
このペダル装置は、例えば、電子打楽器としての電子バスドラムに用いられるキックペダルとして構成される。このペダル装置は、床面２６の上に設置されて、フットボード２０の踏み込みにより演奏操作がされる。図２（ａ）、（ｂ）はそれぞれ、フットボード２０が踏み込み開始位置にある状態（非操作状態または初期状態）、踏み込み終了位置にある状態（踏み込み終了状態）を示している。
【００２２】
以降、ペダル装置の前後、上下方向は、水平な床面２６に載置された状態を基準とし、図１、図２の右側が前側、図２（ａ）、（ｂ）の上側が上側とする。また、左右方向については、図１（ａ）の右方にいる奏者からみた方向を基準として呼称し、図１（ａ）の上側が右側とする。
【００２３】
図１、図２に示すように、ペダル装置は基台１０を有し、基台１０上に、板状のフットボード２０と２本のアーム２１（２１Ｌ、２１Ｒ）とで構成されるリンク機構が配設される。このリンク機構においては、質量部２２が前後方向にスライド移動するように構成され、いわゆるスライダクランク機構が採用されている（詳細は後述）。基台１０、フットボード２０、アーム２１はいずれも金属等で構成される。
【００２４】
基台１０の底板１１の前部上部には支承部１２が設けられ、底板１１の後部上部にはストッパ支持部１３が設けられる。底板１１の後半部上部の左右両側には、側板部１４（１４Ｌ、１４Ｒ）が上方に突設されている。底板１１の前後方向ほぼ中間部で左右方向中央部には、バネ支持部１５が上方に突設されている（図２）。これら支承部１２、ストッパ支持部１３、側板部１４及びバネ支持部１５は、底板１１に対して固定的であればよく、一体に形成されている必要はない。ストッパ支持部１３の前面にはストッパ部３０が配設固定されている。
【００２５】
底板１１の下面には、脚部２５が設けられ、脚部２５（図１）が床面２６に接地されている。脚部２５は、ゴムまたはバネ等の弾性体でなり、基台１０と床面２６との間の振動伝達を遮断乃至抑制する役割を果たす。振動遮断をより効果的にするために、脚部２５に相当する部分に粘弾性材料を介在させたり、オイルダンパやエアダンパ等を設けたりして損失を与え、振動の減衰を早めるようにしてもよい。その際、共振が生じないように設計するのが好ましい。
【００２６】
支承部１２には第１回動軸１８が左右方向に沿って設けられ、第１回動軸１８に、フットボード２０の前端部２０ａが軸支されている。これにより、フットボード２０は、第１回動軸１８を中心に後端部２０ｂが上下方向（図２（ａ）の時計及び反時計方向）に回動自在になっている。
【００２７】
また、フットボード２０の後端部２０ｂに第２回動軸２３が左右方向に沿って設けられる。アーム２１は、左右に１本ずつ平行に設けられ、第２回動軸２３に、各アーム２１の前端部２１ａが軸支されている。これにより、各アーム２１の後端部２１ｂが、第２回動軸２３を中心に相対的に上下方向（図２（ａ）の時計及び反時計方向）に回動自在になっている。
【００２８】
アーム２１Ｌの後端部２１ｂとアーム２１Ｒの後端部２１ｂとの間に棒状の摺動ピン２４が懸架される。アーム２１Ｌ、２１Ｒの間には質量部２２が設けられる。フットボード２０、アーム２１及び質量部２２を含む系（動作系）の多くの質量が質量部２２に集中するよう、質量部２２は、好ましくはフットボード２０やアーム２１よりも比重の大きい素材でなる。質量部２２を摺動ピン２４が貫通し、質量部２２に対して摺動ピン２４が回転自在になっている。質量部２２は側面視形状が円形であるが、形状は一例であり、これに限定されない。
【００２９】
基台１０の各側板部１４の左右方向内側面には、前後方向に沿った凹状のガイド溝１４ａが形成されている。摺動ピン２４は左右方向に沿って配設され、その左右両端が側板部１４Ｌのガイド溝１４ａと側板部１４Ｒのガイド溝１４ａとに係合するよう架け渡されている。ガイド溝１４ａの上下方向の幅は摺動ピン２４の直径より僅かに大きく、摺動ピン２４がガイド溝１４ａ内を前後方向に摺動自在になっている。これにより、質量部２２は、摺動ピン２４と一体となって前後方向に変位可能になっている。
【００３０】
フットボード２０の下面と底板１１との間には、弾性材としての第１コイルバネ１６が介装されている。フットボード２０への第１コイルバネ１６の取り付け位置は後端部２０ｂ寄りであるのが好ましいが、必須ではない。また、質量部２２とバネ支持部１５との間には、弾性材としての第２コイルバネ１７が介装されている。フットボード２０の非操作状態においては、第１コイルバネ１６及び第２コイルバネ１７が共に圧縮状態となって、フットボード２０、アーム２１及び質量部２２を含むリンク機構の系の平衡状態を保っている。すなわち、非操作状態のフットボード２０が、図２（ａ）に示す踏み込み開始位置に規制される。しかも、踏み込み開始位置から踏み込みの往方向（図２（ａ）の反時計方向）またはその反対方向のいずれの方向にフットボード２０を変位させたとしても、両コイルバネ１６、１７の弾性によって、フットボード２０を踏み込み開始位置に復帰させる付勢力が作用する。
【００３１】
コイルバネ１６、１７のバネ定数、配設位置の設定、変位量等は任意に設定でき、それらによって、踏み込みトルクを奏者の好みに設定することができる。また、フットボード２０の踏み込み開始位置（初期角度）も好みの位置に設定することができる。ところで、非操作状態においてリンク機構の系の平衡状態を保つ上では、両コイルバネ１６、１７は双方とも引張状態であってもよい。
【００３２】
非操作状態（図２（ａ））からフットボード２０が踏み込み操作されると、フットボード２０が回動し、第２回動軸２３が下方に変位する。それに伴い、ガイド溝１４ａ内を摺動ピン２４が後方に摺動し、質量部２２が後方に水平移動する。アーム２１は第２回動軸２３及び摺動ピン２４の位置に応じた姿勢となる。やがて、質量部２２がストッパ部３０に当接するとフットボード２０の踏み込み終了位置が規制される（図２（ｂ））。質量部２２の衝撃力が直接作用する方向は後方であるので、下方である床面２６に対する衝撃力は従来に比べて大きく軽減される。ストッパ部３０の構成は後述する。
【００３３】
図３（ａ）は、本実施の形態におけるフットボード２０、アーム２１及び質量部２２を含むリンク機構の系の模式図である。非操作状態における第２回動軸２３、摺動ピン２４の位置をそれぞれ始点ＰｆＳ、ＰａＳ、フットボード２０が踏み込み終了位置にあるときの第２回動軸２３、摺動ピン２４の位置をそれぞれ終点ＰｆＥ、ＰａＥとする。
【００３４】
踏み込みの往行程において、第２回動軸２３の始点ＰｆＳから終点ＰｆＥまでの直線距離よりも、摺動ピン２４の始点ＰａＳから終点ＰａＥまでの直線距離の方が長い。第２回動軸２３からみて質量部２２の変位量が拡大していることにより、質量部２２がフットボード２０に直接固定される構成に比べ、上記系における質量部２２の慣性質量が大きくなる。従って、従来に比べ、質量部による慣性力の影響が大きくなるよう設計するのが容易となっている。また、質量部２２の形状や質量の設定の自由度も、フットボード２０に固定する場合に比し高い。本実施の形態では、アコースティックのキックペダルと同程度の慣性質量となるように、質量部２２の質量及び変位量が設定されている。
【００３５】
図４（ａ）、（ｂ）は、本実施の形態におけるストッパ部３０の詳細な構成を模式的に示す断面図である。ストッパ部３０の正面視形状は円形であるが、矩形でもよく、形状は問わない。図４（ａ）は、質量部２２との非当接状態、図４（ｂ）は質量部２２との当接状態を示し、変形の様子は誇張して示してある。
【００３６】
図４（ａ）に示すように、ストッパ部３０は、最後部にベースプレート３２を有し、ベースプレート３２とセンサプレート３４との間にスポンジ等の緩衝材３３が介装される。センサプレート３４の前面にスポンジ等の緩衝材３５が貼着され、緩衝材３５の前面をゴムシート３６が覆っている。ゴムシート３６の前面は鉛直方向に平行である。センサプレート３４の後面の緩衝材３３がない部分にピエゾセンサ３１が貼着される。
【００３７】
質量部２２がゴムシート３６の前面に当接すると、緩衝材３３、３５が緩衝機能を果たすと共に、その打撃による電圧変化をピエゾセンサ３１が検出し、信号を出力する。出力された信号は、打撃演奏トリガ信号として不図示の信号処理部に送られ、打撃演奏データに変換されたり、リアルタイムに音響に変換されたりする。
【００３８】
ここで、ゴムシート３６の硬度は緩衝材３３、３５よりも高い。質量部２２がゴムシート３６に当接した瞬間、アコースティックドラムのキックペダルに近似した適切な反発力が発生するように、ゴムシート３６及び緩衝材３３、３５の設計がなされている。設計上、反発力は主に緩衝材３３、３５の硬度で調節される。適切な調節により、２度続けて打撃するいわゆるダブル演奏操作を違和感なく行うことができる。ストッパ部３０で質量部２２が跳ね返った後、上記系は、コイルバネ１６、１７の弾性によって踏み込み開始位置に復帰する。
【００３９】
本実施の形態によれば、フットボード２０とアーム２１とでリンク機構が構成され、ガイド溝１４ａによって質量部２２の変位軌道が前後方向に規制される。そして、フットボード２０の踏み込みの往行程において、質量部２２が後方にスライド移動し、ストッパ部３０に正面から当接する。これにより、床面２６に対する衝撃を緩和することができる。特に、ストッパ部３０の当接面は垂直であるので、水平方向前方に反発力が作用し、床面２６に対して伝わる振動や発生する衝撃音が小さくて済む。また、質量部２２がフットボード２０にリンクされたアーム２１の後端部２１ｂに設けられ、その変位量がフットボード２０の後端部２０ｂよりも大きいので、質量部２２の慣性力を大きくでき、踏み込み感触を向上させるための自由度を高めることができる。よって、踏み込み感触を向上させるのを容易にすることができる。
【００４０】
また、第１コイルバネ１６及び第２コイルバネ１７によって、リンク機構の系が平衡状態を保ち、初期位置への復帰習性を付与されるから、アコースティックのペダル装置に似た踏み込み初期の操作感触を実現することができる。
【００４１】
また、ストッパ部３０の緩衝材３３、３５は、質量部２２と当接したときフットボード２０に対して復方向への反力を発生させる反力発生部としての役割を果たすので、良好な打撃感触を実現し連打を容易にすることができる。さらに、ストッパ部３０に反力発生部とピエゾセンサ３１とが内蔵されているので、良好な打撃感触と操作検出とをコンパクトな構成で実現することができる。
【００４２】
ところで、床面２６に対する衝撃を効果的に緩和する観点からは、踏み込みの往行程において質量部２２が下方の成分を含まない方向に変位するように構成すればよい。以下、変形例を説明する。
【００４３】
図３（ｂ）〜（ｄ）は、質量部２２の変位方向を変えた変形例のリンク機構の模式図であり、図３（ａ）に対応している。例えば、図３（ｂ）に示すように、フットボード２０が踏み込まれるに従って、質量部２２が前方にスライド移動するように構成してもよい。あるいは、上方の成分を含んでいてもよく、図３（ｃ）に示すように、質量部２２が斜め後方上方に変位するように構成してもよい。また、質量部２２は直線的に変位することは必須でなく、図３（ｄ）に示すように、湾曲した軌跡を辿るようにしてもよい。
【００４４】
このほか、質量部２２の変位方向には左右方向の成分を含んでいてもよい。ただし、緩衝の観点からは、摺動ピン２４の始点ＰａＳから終点ＰａＥとの関係において、摺動ピン２４乃至質量部２２の変位成分は、上方の成分よりも水平方向の成分の方が大きい方が効果的である。なお、慣性質量を効果的に作用させる上で、踏み込みにより変位する第２回動軸２３の直線距離よりも、質量部２２の変位の直線距離（摺動ピン２４の始点ＰａＳから終点ＰａＥまでの直線距離）の方が大きくなるように設計するのが好ましいことは、上記した図３（ａ）の例と同様である。また、ストッパ部３０からの反発力の方向に関しては、質量部２２が当接するストッパ部３０の面は鉛直方向に平行に近い方が好ましい。
【００４５】
ところで、ストッパ部３０に打撃検出機構と反力発生部とを内蔵させる構成としては、図４（ａ）、（ｂ）の例に限らない。図４（ｃ）〜（ｆ）に変形例のストッパ部３０を示す。
【００４６】
例えば、図４（ｃ）、（ｄ）に示すストッパ部３０は、ベースプレート３７に膜部３９を張力を保持した状態でネジで固定する。膜部３９の後面にスポンジ等の緩衝材３８を設け、緩衝材３８とベースプレート３７との間にピエゾセンサ３１を配設する。この構成では、主に膜部３９の張力によって反発力が発生する。質量部２２が当接すると緩衝材３８が変形し、ピエゾセンサ３１が打撃として検出する。
【００４７】
また、図４（ｅ）、（ｆ）に示すように、ベースプレート４０と板金４９との間にバネ４２を介装し、ベースプレート４０の後面にスポンジ等の緩衝材４１を設け、緩衝材４１とベースプレート４０との間にピエゾセンサ３１を配設する。板金４９の前面をゴムシート３６が覆っている。この構成では、主にバネ４２の弾性によって反発力が発生する。質量部２２が当接すると緩衝材４１が変形し、ピエゾセンサ３１が打撃として検出する。
【００４８】
このほか、例示した以外の弾性体や張力を発生させる部材、あるいはこれらの組み合わせによって反力発生部を構成してもよい。なお、打撃を検出するセンサの種類は問わず、ピエゾ素子に限られない。静電容量型のセンサや感圧抵抗型のセンサ等を採用してもよい。
【００４９】
ところで、質量部２２の変位軌道を規制する機構としては、図１、図２に例示したガイド溝１４ａと摺動ピン２４との組み合わせに限定されない。図５（ａ）、（ｂ）は、質量部２２の変位軌道を規制する機構の変形例を示す模式図である。
【００５０】
例えば、図５（ａ）に示すように、基台１０の底板１１に側板部１４と同様の側板部５０を左右両側に設け、左右両方の側板部５０の各左右方向内側面に凹状のガイド溝５０ａを形成する。質量部２２は、直方体状に形成し、質量部２２とアーム２１とは回動軸５２で連結される。そして、質量部２２自体がガイド溝５０ａ内を前後方向に摺動するように構成する。
【００５１】
あるいは、図５（ｂ）に示すように、基台１０の底板１１にブロック５１を突設し、ブロック５１に正面視円形のガイド穴５１ａを形成する。質量部２２は、円柱状に形成し、質量部２２とアーム２１とは回動軸５２で連結される。そして、質量部２２自体がガイド穴５１ａ内を前後方向に摺動するように構成する。
【００５２】
ところで、フットボード２０、アーム２１及び質量部２２を含むリンク機構の系を非操作状態において平衡状態に保つ観点からは、図１、図２で示したコイルバネ１６、１７の配設態様に限られない。図６（ａ）〜（ｅ）は、リンク機構の系を非操作状態において平衡状態に保つためのコイルバネの配設態様の変形例を示す図である。図６（ａ）〜（ｅ）において、バネ係止部１０ａ〜１０ｅは、基台１０に対して固定的な部分であって、基台１０でもよく、基台１０に固定された部材でもよい。
【００５３】
例えば、図６（ａ）に示すように、フットボード２０と上方のバネ係止部１０ａ、下方のバネ係止部１０ｂとの間に、それぞれコイルバネ４３、４４を介装する。あるいは、図６（ｂ）に示すように、フットボード２０とバネ係止部１０ａとの間にコイルバネ４３を介装すると共に、質量部２２と質量部２２より後方のバネ係止部１０ｃとの間にコイルバネ４５を介装する。あるいは、図６（ｃ）に示すように、質量部２２とバネ係止部１０ｃとの間にコイルバネ４５を介装すると共に、質量部２２と質量部２２より前方のバネ係止部１０ｄとの間にコイルバネ４６を介装する。
【００５４】
図６（ａ）〜（ｃ）の例の場合は、２つのコイルバネを共に圧縮状態としてリンク機構の系を非操作状態において平衡状態に保つことができる。あるいは、双方とも引張状態としても平衡状態に保つことは可能である。
【００５５】
また、図６（ｄ）に示すように、質量部２２とそれの上方のバネ係止部１０ａとの間にコイルバネ４７を介装する。そして、非操作状態で、コイルバネ４７が引張状態となり、且つ、質量部２２がバネ係止部１０ａのちょうど直下に位置するようにする。あるいは、図６（ｅ）に示すように、フットボード２０の後端部２０ｂ（乃至第２回動軸２３）と、それの後方斜め上方のバネ係止部１０ｅとの間にコイルバネ４８を介装する。そして、非操作状態で、コイルバネ４８が引張状態となり、且つ、フットボード２０の延長上にコイルバネ４８が延設された形となるようにする。
【００５６】
図６（ｄ）、（ｅ）の例の場合は、コイルバネは１つである。コイルバネ４７、４８はいずれも、フットボード２０が踏み込み開始位置にあるときに最も短くなるように引張状態で配設される。フットボード２０を、非操作状態における踏み込み開始位置から往方向またはその反対方向のいずれの方向に変位させたとしても、コイルバネ４７、４８がより引っ張られるため、フットボード２０を踏み込み開始位置に復帰させる付勢力がリンク機構の系に作用する。
【００５７】
なお、上記実施の形態や各変形例において、リンク機構の系を適切に構成する上では、第２回動軸２３の位置は、フットボード２０の後端部２０ｂ寄りの位置に設ければよい。また、質量部２２は、アーム２１の後端部２１ｂ寄りの位置に設ければよい。また、コイルバネ１６、１７等、各種のコイルバネは、弾性力を発揮するものであればよく、ゴム等の他の弾性材であってもよい。
【００５８】
なお、ピエゾセンサ３１は、フットボード２０の動作を直接または間接に検出できればよいので、配設箇所は質量部２２と当接する箇所に限られず、フットボード２０自体の動作を検出できる位置、例えば、底板１１に配設してもよい。
【符号の説明】
【００５９】
１０  基台、  １４ａ、５０ａ  ガイド溝（規制手段）、  １５  バネ支持部、  １６  第１コイルバネ（弾性材）、  １７  第２コイルバネ（弾性材）、  １８  第１回動軸、  ２０  フットボード、  ２０ａ  前端部（一端部）、  ２０ｂ  後端部（他端部）、  ２１  アーム、  ２１ａ  前端部（一端部）、  ２１ｂ  後端部（他端部）、  ２２  質量部、  ２３  第２回動軸（回動支点）、  ２６  床面、  ３０  ストッパ部、  ３３、３５  緩衝材（反力発生部）、  ３９  膜部（反力発生部）、  ４２  バネ（反力発生部）、  ４７、４８  コイルバネ（弾性材）、  ５１ａ  ガイド穴（規制手段）、  ＰｆＳ、ＰａＳ  始点、  ＰｆＥ、ＰａＥ  終点
【図１】
2015135512.tif 000003
【図２】
2015135512.tif 000004
【図３】
2015135512.tif 000005
【図４】
2015135512.tif 000006
【図５】
2015135512.tif 000007
【図６】
2015135512.tif 000008
【手続補正書】
【提出日】平成27年4月1日(2015.4.1)
【手続補正１】
【補正対象書類名】明細書
【補正対象項目名】０００６
【補正方法】変更
【補正の内容】
【０００６】
本発明は上記従来技術の問題を解決するためになされたものであり、その目的は、床面に対する衝撃を緩和すると共に、発生する衝撃音を小さくすることができる電子打楽器用のペダル装置を提供することにある。
【手続補正２】
【補正対象書類名】明細書
【補正対象項目名】０００７
【補正方法】変更
【補正の内容】
【０００７】
上記目的を達成するために本発明の請求項１の電子打楽器用のペダル装置は、床面（２６）に載置される基台（１０）と、前記基台に対して一端部（２０ａ）が軸支され、踏み込み操作により回動自在なフットボード（２０）と、前記フットボードの他端部（２０ｂ）寄りの位置に設けられた回動支点（２３）に一端部（２１ａ）が軸支され、回動自在にされたアーム（２１）と、質量部と、前記アームの他端部に回動自在に係合する係合部とを有し、前記フットボードの踏み込み操作により回動する前記アームの変位によって前記質量部を移動させる質量部移動機構部と、を有し、前記質量部移動機構部は、前記フットボードの踏み込み操作により、前記係合部が水平方向における前記フットボードの前記他端部を挟んで前記フットボードの前記一端部の反対側に移動することにより、前記質量部を移動させるように構成されたことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１４
【補正方法】変更
【補正の内容】
【００１４】
本発明の請求項１によれば、床面に対する衝撃を緩和すると共に、発生する衝撃音を小さくすることができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
床面に載置される基台と、
前記基台に対して一端部が軸支され、踏み込み操作により回動自在なフットボードと、
前記フットボードの他端部寄りの位置に設けられた回動支点に一端部が軸支され、回動自在にされたアームと、
質量部と、前記アームの他端部に回動自在に係合する係合部とを有し、前記フットボードの踏み込み操作により回動する前記アームの変位によって前記質量部を移動させる質量部移動機構部と、を有し、
前記質量部移動機構部は、前記フットボードの踏み込み操作により、前記係合部が、主として水平方向における前記フットボードの前記他端部を挟んで前記フットボードの前記一端部の反対側に移動することにより、前記質量部を移動させるように構成されたことを特徴とする電子打楽器用のペダル装置。
【請求項２】
前記質量部移動機構部と係合し、移動した前記質量部を移動前の状態に復帰させる復帰機構を有することを特徴とする請求項１記載の電子打楽器用のペダル装置。
【請求項３】
前記アームの前記他端部は、前記回動支点よりも下方に位置することを特徴とする請求項１または２に記載の電子打楽器用ペダル装置。